(57)【特許請求の範囲】
【請求項１】
デッキプレートに穿設した嵌挿孔に挿通されるコンクリート遮断筒と、該コンクリート遮断筒と連通する連通孔を備え、コンクリート遮断筒の上縁に周設されてデッキプレートの上面に固定される支持板とからなる打込金具と、
受皿部と該受皿部から下方に延成された排水管部とからなるドレイン本体の、その排水管部に外嵌され、かつ前記支持板の連通孔を囲むようにして支持板と受皿部下底面との間に介装されて、ドレイン本体を支持板上に所要間隔で保持する筒状スペーサと、
ドレイン本体と打込金具とを筒状スペーサを介して挟持する挟持手段と
を備えたドレイン本体の固定装置において、
前記挟持手段が、ドレイン本体の受皿部に乗載される上部挟圧部材と、打込金具に下方から当接される下部挟圧部材と、両挟圧部材を緊締状に連結する螺子杆とを備えてなり、
上部挟圧部材に受皿部を回動不能に係止する係止手段が設けられるとともに、下部挟圧部材を打込金具に回動不能に係合する係合手段が設けられる一方、
前記上部挟圧部材と下部挟圧部材との間に回り止め管が介装され、該回り止め管の下端と下部挟圧部材、及び回り止め管の上端と上部挟圧部材とが夫々回り止め手段を介して相対的に回動不能に連係されており、
下部挟圧部材の係合手段は、杆状に形成された下部挟圧部材の両端部を係合部とし、該係合部をコンクリート遮断筒の下端の略１８０°異なる位置に形成された一対の凹溝からなる被係合部に下方から係合させることにより、下部挟圧部材を回動不能とするものであることを特徴とするドレイン本体の固定装置における回り止め装置。
【発明の詳細な説明】
【技術分野】
【０００１】
本発明は、デッキプレート工法に適用されるドレイン本体の固定装置における回り止め装置に関する。
【背景技術】
【０００２】
デッキプレート上に打設されるコンクリートの表層部分に、ルーフドレインのドレイン本体を埋設して施工するデッキプレート工法にあって、コンクリートの打設前にドレイン本体をデッキプレートに固定する固定装置が本願出願人によって先に提案されている（特許文献１参照）。
【０００３】
このドレイン本体の固定装置は、図１５に示すように、デッキプレートｐに穿設した嵌挿孔ａに挿通されるコンクリート遮断筒ｂと、該コンクリート遮断筒ｂと連通する連通孔ｇを備え、コンクリート遮断筒ｂの上縁に周設されてデッキプレートｐの上面に固定される支持板ｃとからなる打込金具ｄと、ドレイン本体ｅの排水管部ｆに外嵌され、かつ前記支持板ｃの連通孔ｇを囲むようにして支持板ｃとドレイン本体ｅの受皿部ｉの下底面との間に介装されて、ドレイン本体ｅを支持板ｃ上に所要間隔で保持する筒状スペーサｈと、ドレイン本体ｅの受皿部ｉに乗載される上部挟圧部材ｊと前記打込金具ｄ内に設けた係止縁ｋに下方から当接される下部挟圧部材ｍとを備え、さらに該下部挟圧部材ｍに立設されて上部挟圧部材ｊに下方から挿通される螺子杆ｎのその突出端に螺合される蝶ナットｑとからなり、該蝶ナットｑの緊締作用により、ドレイン本体ｅと打込金具ｄとを筒状スペーサｈを介して挟持する挟持手段ｒとによって構成されている。
【０００４】
かかる固定装置を用いる施工にあっては、ドレイン本体ｅと打込金具ｄを、予め前記挟持手段ｒによって挟圧状に連結しておき、前記デッキプレートｐに嵌挿孔ａを穿設してから、該嵌挿孔ａに打込金具ｄのコンクリート遮断筒ｂを挿通し、凹凸断面をなすデッキプレートｐの凸部側の上面に支持板ｃを載置して溶接や螺子止めすることにより、ドレイン本体ｅと打込金具ｄとからなる連結体をデッキプレートｐに固定する。次にデッキプレートｐ上にコンクリートｓを打設し、固結した後、挟持手段ｒの蝶ナットｑを外して上部挟圧部材ｊを除去し、かつ螺子杆ｎとともに下部挟圧部材ｍを除去することにより、ドレイン本体ｅの取付施工が完了する。
【０００５】
而してかかる固定装置にあっては、ドレイン本体ｅの位置保持を、取付位置におけるデッキプレートｐの凹凸状態に影響されることなく正確かつ最適に行うことができ、また現場での施工は、前記連結体のデッキプレートｐへの固定と、コンクリートｓの打設により略完了するから、その取付施工を迅速かつ簡単に行い得る利点がある。
【特許文献１】実公平１−２６８２６号公報
【発明の開示】
【発明が解決しようとする課題】
【０００６】
ところで、従来の固定装置にあっては、蝶ナットｑの緊締作用のみで上部挟圧部材ｊと下部挟圧部材ｍとを緊締状に連結してドレイン本体ｅを固定しているだけであるため、その固定が必ずしも充分ではなく、デッキプレートｐ上にコンクリートｓを打設すると、その流圧でドレイン本体ｅが回転し、その向きがずれてしまうことがある。
【０００７】
この場合、ドレイン本体ｅの受皿部ｉが円形であれば問題はないのであるが、該受皿部ｉが矩形状等の方向性を有する形状のものであると、該受皿部ｉの所定の向きがずれるため、その仕上りが非常に見苦しくなるという問題がある。また、コンクリートｓの上面に同時に形成される排水溝の向きとも一致しなくなり、排水効率が低下するという問題がある。
【０００８】
本発明は、かかる従来構成の問題を解消し得るドレイン本体の固定装置における回り止め装置を提供することを目的とするものである。
【課題を解決するための手段】
【０００９】
本発明は、デッキプレートに穿設した嵌挿孔に挿通されるコンクリート遮断筒と、該コンクリート遮断筒と連通する連通孔を備え、コンクリート遮断筒の上縁に周設されてデッキプレートの上面に固定される支持板とからなる打込金具と、受皿部と該受皿部から下方に延成された排水管部とからなるドレイン本体の、その排水管部に外嵌され、かつ前記支持板の連通孔を囲むようにして支持板と受皿部下底面との間に介装されて、ドレイン本体を支持板上に所要間隔で保持する筒状スペーサと、ドレイン本体と打込金具とを筒状スペーサを介して挟持する挟持手段とを備えたドレイン本体の固定装置において、前記挟持手段が、ドレイン本体の受皿部に乗載される上部挟圧部材と、打込金具に下方から当接される下部挟圧部材と、両挟圧部材を緊締状に連結する螺子杆とを備えてなり、上部挟圧部材に受皿部を回動不能に係止する係止手段が設けられるとともに、下部挟圧部材を打込金具に回動不能に係合する係合手段が設けられる一方、前記上部挟圧部材と下部挟圧部材との間に回り止め管が介装され、該回り止め管の下端と下部挟圧部材、及び回り止め管の上端と上部挟圧部材とが夫々回り止め手段を介して相対的に回動不能に連係されていることを特徴とするドレイン本体の固定装置における回り止め装置である。
【００１０】
この回り止め装置にあって、打込金具に対する下部挟圧部材の係合手段としては、打込金具に形成された複数の被係合部に、下部挟圧部材に設けられた複数の係合部を下方から夫々係合させて回動不能とする構成が提案される。
【００１１】
また、この構成にあって、杆状に形成された下部挟圧部材の両端部を係合部とし、該係合部をコンクリート遮断筒の下端の略１８０°異なる位置に形成された一対の凹溝からなる被係合部に下方から係合させることにより、下部挟圧部材を回動不能とする構成が係合手段の好適な実施態様として提案される。
【００１２】
また、円盤状に形成された下部挟圧部材の周縁に上方または外方に突出する複数の係合部が設けられる一方、該係合部が夫々係合可能な凹溝からなる被係合部がコンクリート遮断筒の下端に形成され、該被係合部に係合部を係合させることにより、下部挟圧部材を回動不能とする構成が係合手段の他の好適な実施態様として提案される。
【００１３】
さらに、杆状に形成された下部挟圧部材の両端部に上方に突出する係合部が設けられる一方、コンクリート遮断筒の内径より支持板の連通孔を小さくして内方に突出させた連通孔の孔縁の略１８０°異なる位置に、前記係合部が夫々係合可能な凹溝からなる被係合部が形成され、該被係合部に係合部を下方から係合させることにより、下部挟圧部材を回動不能とする構成が係合手段の他の好適な実施態様として提案される。
【００１４】
さらにまた、杆状に形成された下部挟圧部材の両端部を係合部とし、該係合部をコンクリート遮断筒の周壁の略１８０°異なる位置に形成された一対の孔部からなる被係合部に挿通して下方から係合させることにより、下部挟圧部材を回動不能とする構成が係合手段の他の好適な実施態様として提案される。
【００１５】
尚、回り止め管の下端と下部挟圧部材、及び／又は回り止め管の上端と上部挟圧部材とに夫々適用されて、夫々を相対的に回動不能に連係する回り止め手段としては、回り止め管の端部に形成された、上下方向にのみ嵌合可能で嵌合状態で回動不能となるような断面形状の係合端と、該係合端の断面形状に一致させて下部挟圧部材及び／又は上部挟圧部材に形成された、該係合端に内嵌される突起、もしくは該係合端に外嵌される凹部あるいは嵌挿孔とによって構成され得る。
【００１６】
また、同様に、回り止め管の下端と下部挟圧部材、及び／又は回り止め管の上端と上部挟圧部材とに夫々適用されて、夫々を相対的に回動不能に連係する回り止め手段としては、一方に形成された上下方向の突起と、他方に形成された、前記突起が上下方向に嵌入される凹溝とによって構成され得る。
【００１７】
さらに、上部挟圧部材と、受皿部に適用される係止手段としては、上部挟圧部材の側縁を矩形状の受皿部の周壁内面に当接させて回動不能に設けるか、もしくは受皿部を覆うように上部挟圧部材を該受皿部の周壁上面に乗載し、その下面に突成した係止縁を矩形状の受皿部の周壁内面に当接させて回動不能に設けることにより構成され得る。
【発明の効果】
【００１８】
本発明は、上述したように、係合手段を介して打込金具に回動不能に係合された下部挟圧部材と、回り止め管の下端とが回動不能に連係され、該回り止め管の上端と、上部挟圧部材とが回動不能に連係され、さらに、上部挟圧部材に受皿部が回動不能に係止されていることにより、打込金具の支持板が固定されたデッキプレートに対して受皿部が回動不能となる。これにより、デッキプレート上へのコンクリートの打設時にドレイン本体が回転せず、受皿部の向きがずれることがない。
【００１９】
また、下部挟圧部材を打込金具に回動不能に係合する係合手段を、打込金具に形成された複数の被係合部に、下部挟圧部材に設けられた複数の係合部を下方から夫々係合させて回動不能とする構成にあっては、被係合部に対する係合部の係合という簡単な構造で下部挟圧部材の回動規制作用が得られるとともに、下部挟圧部材を下方へ移動させることにより、係合部が被係合部から離脱するので、デッキプレート上に打設したコンクリートの固結後における下部挟圧部材の取り外しを容易に行うことができる。
【００２０】
また、前記係合手段として、杆状に形成された下部挟圧部材の両端部を係合部とし、該係合部をコンクリート遮断筒の下端の略１８０°異なる位置に形成された一対の凹溝からなる被係合部に下方から係合させることにより、下部挟圧部材を回動不能とする構成にあっては、杆状に形成された下部挟圧部材を用いる場合の好適な係合手段となる。
【００２１】
また、前記係合手段として、円盤状に形成された下部挟圧部材の周縁に上方または外方に突出する複数の係合部が設けられる一方、該係合部が夫々係合可能な凹溝からなる被係合部がコンクリート遮断筒の下端に形成され、該被係合部に係合部を下方から係合させることにより、下部挟圧部材を回動不能とする構成にあっては、円盤状に形成された下部挟圧部材を用いる場合の好適な係合手段となる。
【００２２】
また、前記係合手段として、杆状に形成された下部挟圧部材の両端部に上方に突出する係合部が設けられる一方、コンクリート遮断筒の内径より支持板の連通孔を小さくして内方に突出させた連通孔の孔縁の略１８０°異なる位置に、前記係合部が夫々係合可能な凹溝からなる被係合部が形成され、該被係合部に係合部を下方から係合させることにより、下部挟圧部材を回動不能とする構成にあっては、杆状に形成された下部挟圧部材を用いる場合の他の好適な係合手段となる。
【００２３】
また、前記係合手段として、杆状に形成された下部挟圧部材の両端部を係合部とし、該係合部をコンクリート遮断筒の周壁の略１８０°異なる位置に形成された一対の孔部からなる被係合部に挿通して下方から係合させることにより、下部挟圧部材を回動不能とする構成にあっては、杆状に形成された下部挟圧部材を用いる場合の他の好適な係合手段となる。
【発明を実施するための最良の形態】
【００２４】
以下に、本発明の第一実施例を、図１〜図５に基づいて説明する。
まず初めに本発明の要部である回り止め装置が適用されるドレイン本体の固定装置について説明する。該固定装置を構成する打込金具１は、図１，図２に示すように、円筒状のコンクリート遮断筒２と、その上縁に周設された平板状の支持板３とからなり、該支持板３にはコンクリート遮断筒２と連通する連通孔４が開口されている。この連通孔４の内径はコンクリート遮断筒２の内径より若干小径となっており、さらにその孔縁部分を若干下方に窪ませて、後述する筒状スペーサ１１の下端を係止する円形の係止段部５が設けられている。また、支持板３は、デッキプレートｐの凸部間に差し渡し得る長さの矩形状に形成されており、図２に示すように、多数の透孔７を穿設して、コンクリートｓの打設時に支持板３の下方に該コンクリートｓが流入し易いようにしている。尚、打込金具１を構成するコンクリート遮断筒２と支持板３は金属製であるが、これに代えて合成樹脂を用いて一体成型することも可能である。
【００２５】
かかる打込金具１は、後述する挟持手段を介してドレイン本体８と連結一体化され、デッキプレートｐに穿設される嵌挿孔４２にコンクリート遮断筒２を挿通させた状態で、デッキプレートｐの凸部側の上面に支持板３を載置して溶接や螺子止めにより固定される。
【００２６】
ドレイン本体８は、矩形状の受皿部９と該受皿部９から下方突成された排水管部１０とからなる公知形状となっている。排水管部１０に外嵌される筒状スペーサ１１は、支持板３の連通孔４を囲むようにして係止段部５上に乗載されて、支持板３と受皿部９の下底面との間に介装されている。該筒状スペーサ１１は、ドレイン本体８を支持板３上にコンクリートｓの厚みに対応する所要間隔で保持し、かつ該コンクリートｓの排水管部１０側への流入を遮断するためのものであって、コンクリートｓの厚みに応じて種々の長さのものが用意される。
【００２７】
前記コンクリート遮断筒２の下端には下方から下部挟圧部材１２が当接され、その中央部にはナットからなる雌螺子部１３が設けられており、該雌螺子部１３に下端を螺合することにより螺子杆１４が立設されている。ここで、下部挟圧部材１２は、コンクリート遮断筒２の外径と略等しい長さを備えた断面伏コ字形の杆状に形成されており、前記雌螺子部１３は断面クランク形の受け板１５上に固着された状態で、該下部挟圧部材１２の下面に固着されている。また、前記受皿部９の内底面１６上には上部挟圧部材１７が乗載されており、該上部挟圧部材１７の中央に形成した透孔１８（図５参照）に前記螺子杆１４を挿通させ、該上部挟圧部材１７上に突出する螺子杆１４に上方から蝶ナット１９を螺合して、その緊締作用により、上部挟圧部材１７と下部挟圧部材１２とを緊締状に連結するようにしている。そして、この上部挟圧部材１７と下部挟圧部材１２と、蝶ナット１９が螺合される螺子杆１４とによって、ドレイン本体８と打込金具１とを筒状スペーサ１１を介して挟持する挟持手段が構成されている。また、該挟持手段と打込金具１と筒状スペーサ１１とによって、ドレイン本体８の固定装置が構成されている。
【００２８】
次に、かかる固定装置におけるドレイン本体８の回り止め装置について説明する。
前記下部挟圧部材１２は、上述したようにコンクリート遮断筒２の外径と略等しい長さを備えた断面伏コ字形の杆状に形成されており、該下部挟圧部材１２の両端部が係合部２０，２０となっている。また、該係合部２０，２０には、コンクリート遮断筒２の内周面に当接可能な係止突起２１，２１が突設されている。一方、コンクリート遮断筒２の下端には、略１８０°異なる位置に前記係合部２０，２０が嵌入可能な凹溝２２，２２が形成されており、該凹溝２２，２２が打込金具１に形成された複数の被係合部となっている。そして、このように、コンクリート遮断筒２の下端に形成された複数の凹溝２２，２２からなる被係合部に、下部挟圧部材１２に設けられた複数の係合部２０，２０を下方から夫々係合させて回動不能とすることにより、下部挟圧部材１２を打込金具１に回動不能に係合する係合手段が構成されている。また、この係合状態にあって、下部挟圧部材１２が長手方向にずれると、係止突起２１，２１の何れかがコンクリート遮断筒２の内周面に当接することにより、下部挟圧部材１２の長手方向のずれによる凹溝２２，２２からの離脱が防止されるようになっている。
【００２９】
前記下部挟圧部材１２と上部挟圧部材１７の間には、回り止め管２３が介装されている。該回り止め管２３は、内部に螺子杆１４を挿通可能な管状であり、少なくともその上下両端に、上下方向にのみ嵌合可能で嵌合状態で回動不能となるような断面形状の係合端２４ａ，２４ｂが形成されている。該係合端２４ａ，２４ｂの断面形状としては、真円以外の形状であればよく、三角形や多角形、あるいは楕円や円形の一部に直線辺部を備えた形状のもの等が挙げられる。図５には、断面四角の角パイプで構成された回り止め管２３を図示してあるが、このように回り止め管２３を同一断面形状のパイプ材で構成してその上下両端を係合端２４ａ，２４ｂとすることもできる。
【００３０】
一方、前記下部挟圧部材１２の中央には、回り止め管２３の下端の係合端２４ａに外嵌される嵌挿孔２５ａ（図４参照）が形成されている。該嵌挿孔２５ａは係合端２４ａの断面形状に一致する形状となっており、該嵌挿孔２５ａを係合端２４ａに上下方向に外嵌することにより、下部挟圧部材１２と回り止め管２３の下端とを相対的に回動不能に連係するようにしている。そしてこの嵌挿孔２５ａと係合端２４ａとにより、回り止め管２３の下端と下部挟圧部材１２の回り止め手段が構成されている。
【００３１】
前記上部挟圧部材１７は矩形状に形成され、該上部挟圧部材１７の中央には、回り止め管２３の上端の係合端２４ｂに外嵌される凹部２６が形成されている。該凹部２６は係合端２４ｂの断面形状に一致する形状となっており、該凹部２６を係合端２４ｂに上下方向に外嵌することにより、上部挟圧部材１７と回り止め管２３の上端とを相対的に回動不能に連係するようにしている。そしてこの凹部２６と係合端２４ｂとにより、回り止め管２３の上端と上部挟圧部材１７の回り止め手段が構成されている。
【００３２】
また、矩形状の上部挟圧部材１７は、その前後幅が、前記受皿部９の狭幅側の周壁２７ａ，２７ａの間隔と略同一に形成されており、その対向する二側縁２８ａ，２８ａを前記周壁２７ａ，２７ａに当接させて受皿部９内に装入するようにしている。これにより、上部挟圧部材１７に受皿部９を回動不能に係止する係止手段が構成されている。さらに、上部挟圧部材１７の他の二側縁２８ｂ，２８ｂを、受皿部９の内底面１６に配設されたストレーナ受用の突起２９，２９に係合させるようにしてもよい。
【００３３】
かかる構成にあって、係合手段を介してコンクリート遮断筒２の下端に回動不能に係合された下部挟圧部材１２と回り止め管２３の下端、及び該回り止め管２３の上端と上部挟圧部材１７とが夫々回り止め手段を介して回動不能に連係され、さらに、上部挟圧部材１７に受皿部９が回動不能に係止されていることにより、打込金具１の支持板３が固定されたデッキプレートｐに対して受皿部９が回動不能となる。これにより、デッキプレートｐ上へのコンクリートｓの打設時にドレイン本体８が回転せず、受皿部９の向きがずれることがない。このため、矩形状等の方向性のある受皿部９を持つドレイン本体８を所定の向きで施工することが可能となり、施工後の美観を向上し得るとともに、コンクリートｓの上面に同時に形成される排水溝の向きに一致させることができ、排水効率を向上し得る等の優れた効果がある。
【００３４】
また、下部挟圧部材１２を打込金具１に回動不能に係合する係合手段を、コンクリート遮断筒２の下端に形成された複数の凹溝２２，２２からなる被係合部に、下部挟圧部材１２に設けられた複数の係合部２０，２０を下方から夫々係合させて回動不能となるように構成していることにより、凹溝２２，２２に対する係合部２０，２０の係合という簡単な構造で下部挟圧部材１２の回動規制作用が得られるとともに、下部挟圧部材１２を下方へ移動させることにより、係合部２０，２０が凹溝２２，２２から離脱するので、デッキプレートｐ上に打設したコンクリートｓの固結後における下部挟圧部材１２の取り外しを容易に行うことができる。また、前記係合手段を、杆状に形成された下部挟圧部材１２の両端部を係合部２０，２０とし、該係合部２０，２０をコンクリート遮断筒２の下端の略１８０°異なる位置に形成された一対の凹溝２２，２２に下方から係合させることにより、下部挟圧部材１２が回動不能となるように構成したので、杆状に形成された下部挟圧部材１２を打込金具１に回動不能に係合する好適な係合手段となる。
【００３５】
尚、この第一実施例では、杆状の下部挟圧部材１２を断面伏コ字形に形成したが、杆状の下部挟圧部材１２としては、断面矩形，断面半円形，断面三角形のものも適用可能である。
【００３６】
図６〜図８は、本発明の第二実施例を示す。この実施例が前記第一実施例と異なる構成について説明すると、下部挟圧部材１２は、外周部に上方に立ち上がる周壁３０を備えた円盤状に形成されており、該周壁３０の内径はコンクリート遮断筒２の外径と略一致している。該下部挟圧部材１２の周縁には、周壁３０の内側に位置させて上方に突出する複数の係合部３１が周方向に略等間隔で設けられている。一方、コンクリート遮断筒２の下端には、前記係合部３１に対応する位置に該係合部３１が夫々嵌入可能な複数の凹溝２２が形成されており、該凹溝２２が打込金具１に形成された複数の被係合部となっている。そして、コンクリート遮断筒２の下端に形成された複数の凹溝２２からなる被係合部に、下部挟圧部材１２の周縁に設けられた複数の係合部３１を下方から夫々係合させて下部挟圧部材１２を回動不能としている。これにより、下部挟圧部材１２を打込金具１に回動不能に係合する係合手段が構成されている。また、この係合状態にあって、下部挟圧部材１２が側方にずれると、周壁３０がコンクリート遮断筒２の外周面に当接して、下部挟圧部材１２のずれによる凹溝２２からの離脱が防止されるようになっており、該周壁３０がずれ止め用の係止突起となっている。
【００３７】
また、前記下部挟圧部材１２の中央には、回り止め管２３の下端の係合端２４ａに内嵌される突起２５ｂが形成されている。該突起２５ｂは係合端２４ａの断面形状に一致する形状となっており、該突起２５ｂを係合端２４ａに上下方向に内嵌することにより、下部挟圧部材１２と回り止め管２３の下端とを相対的に回動不能に連係するようにしている。そしてこの突起２５ｂと係合端２４ａとにより、回り止め管２３の下端と下部挟圧部材１２の回り止め手段が構成されている。
【００３８】
また、上部挟圧部材１７は、図８に示すように、別体形成された矩形の平板３３と断面コ字形の押え板３４とからなり、該平板３３の中央に前記回り止め管２３の上端の係合端２４ｂに外嵌される嵌挿孔３５が形成されている。該嵌挿孔３５は係合端２４ｂの断面形状に一致する形状となっており、該嵌挿孔３５に係合端２４ｂを上下方向に嵌入することにより、上部挟圧部材１７の平板３３と回り止め管２３の上端とを相対的に回動不能に連係するようにしている。そしてこの嵌挿孔３５と係合端２４ｂとにより、回り止め管２３の上端と上部挟圧部材１７の回り止め手段が構成されている。また、前記押え板３４は、回り止め管２３の上端を跨いで平板３３上に載置され、その中央に形成した透孔１８に前記螺子杆１４を挿通させて、該螺子杆１４に上方から蝶ナット１９を螺着することにより、その緊締作用によって上部挟圧部材１７と下部挟圧部材１２とを緊締状に連結するようにしている。
【００３９】
かかる構成にあって、下部挟圧部材１２を打込金具１に回動不能に係合する係合手段を、円盤状に形成された下部挟圧部材１２の周縁に、上方に突出する複数の係合部３１を設ける一方、該係合部３１が夫々係合可能な凹溝２２からなる被係合部をコンクリート遮断筒２の下端に形成して、該凹溝２２に係合部３１を下方から係合させることにより、下部挟圧部材１２が回動不能となるように構成したので、円盤状に形成された下部挟圧部材１２を打込金具１に回動不能に係合する好適な係合手段となる。
【００４０】
図９，図１０は、第二実施例の変形実施例を示し、この変形実施例では、円盤状に形成された下部挟圧部材１２の周縁に、外方に突出する複数の係合部３６が周方向に略等間隔で設けられている。また、下部挟圧部材１２の外周部で上方に立ち上がる周壁３０の外径はコンクリート遮断筒２の内径と略一致しており、該周壁３０をコンクリート遮断筒２内に内嵌し得るようにしている。一方、コンクリート遮断筒２の下端には、前記係合部３６に対応する位置に該係合部３６が夫々嵌入可能な複数の凹溝２２が形成されており、該凹溝２２が打込金具１に形成された複数の被係合部となっている。そして、コンクリート遮断筒２の下端に形成された複数の凹溝２２からなる被係合部に、下部挟圧部材１２の周縁に設けられた複数の係合部３６を下方から夫々係合させて下部挟圧部材１２を回動不能としている。これにより、下部挟圧部材１２を打込金具１に回動不能に係合する係合手段が構成されている。また、この係合状態にあって、下部挟圧部材１２が側方にずれると、周壁３０がコンクリート遮断筒２の内周面に当接して、下部挟圧部材１２のずれによる凹溝２２からの離脱が防止されるようになっており、該周壁３０がずれ止め用の係止突起となっている。
【００４１】
かかる構成にあって、下部挟圧部材１２を打込金具１に回動不能に係合する係合手段を、円盤状に形成された下部挟圧部材１２の周縁に、外方に突出する複数の係合部３６を設ける一方、該係合部３６が夫々係合可能な凹溝２２からなる被係合部をコンクリート遮断筒２の下端に形成して、該凹溝２２に係合部３１を下方から係合させることにより、下部挟圧部材１２が回動不能となるように構成したので、円盤状に形成された下部挟圧部材１２を打込金具１に回動不能に係合する好適な係合手段となる。
【００４２】
図１１，図１２は、第三実施例を示し、この実施例の下部挟圧部材１２は、コンクリート遮断筒２の内径より若干短い長さで断面伏コ字形の杆状に形成されており、その両端部に上方に突出する係合部３７，３７が設けられている。この下部挟圧部材１２は、上述した筒状スペーサ１１の下端が係止される係止段部５に下方から当接され、螺子杆１４を介して上部挟圧部材１７と緊締状に連結される。ここで、支持板３の連通孔４は、コンクリート遮断筒２の内径よりも小さく形成され、筒状スペーサ１１の内面よりも内方に突出する連通孔４の孔縁３８には、その略１８０°異なる位置に、前記係合部３７，３７が夫々嵌入可能な凹溝３９，３９が形成されており、該凹溝３９，３９が打込金具１に形成された複数の被係合部となっている。そして、連通孔４の孔縁３８に形成された複数の凹溝３９からなる被係合部に、下部挟圧部材１２の両端部に設けられた複数の係合部３７，３７を下方から夫々係合させて下部挟圧部材１２を回動不能としている。これにより、下部挟圧部材１２を打込金具１に回動不能に係合する係合手段が構成されている。
【００４３】
かかる構成にあっても、杆状に形成された下部挟圧部材１２を打込金具１に回動不能に係合する好適な係合手段となる。
【００４４】
尚、上記第三実施例にあって、図１３に示すように、断面コ字形の杆状に形成された下部挟圧部材１２を上向きにして用いて、その両側縁の一対の立ち上がり部４０，４０を下部挟圧部材１２の端部の係合部３７としてもよい。この場合、連通孔４の孔縁３８には、前記係合部３７が夫々嵌入可能な一対の凹溝３９’，３９’からなる被係合部が形成されることとなる。
【００４５】
図１４は、第四実施例を示し、この実施例では、下部挟圧部材１２が、第一実施例と同様に、コンクリート遮断筒２の外径と略等しい長さを備えた断面伏コ字形の杆状に形成されており、該下部挟圧部材１２の両端部が係合部２０，２０となっている。また、該係合部２０，２０には、コンクリート遮断筒２の内周面に当接可能な係止突起２１，２１が突設されている。一方、コンクリート遮断筒２の周壁には、所定高さ位置に前記係合部２０，２０が挿通可能な一対の孔部４１，４１が周方向で略１８０°異なる位置に形成されており、該孔部４１，４１が打込金具１に形成された複数の被係合部となっている。そして、このように、コンクリート遮断筒２に形成された孔部４１，４１からなる被係合部に、下部挟圧部材１２の両端の係合部２０，２０を挿通して係合させることにより、下部挟圧部材１２を打込金具１に回動不能に係合する係合手段が構成されている。また、この係合状態にあって、下部挟圧部材１２が長手方向にずれると、係止突起２１，２１の何れかがコンクリート遮断筒２の内周面に当接することにより、下部挟圧部材１２の長手方向のずれによる孔部４１，４１からの離脱が防止されるようになっている。尚、前記孔部４１，４１の形成位置は、コンクリート遮断筒２によるコンクリートｓの遮断作用を損なわないように、デッキプレートｐの嵌挿孔４２から下方に突出するコンクリート遮断筒２の下端寄り部分に形成することが好ましい。
【００４６】
かかる構成にあっても、杆状に形成された下部挟圧部材１２を打込金具１に回動不能に係合する好適な係合手段となる。
【００４７】
尚、回り止め管２３の下端と下部挟圧部材１２、及び／又は回り止め管２３の上端と上部挟圧部材１７とを夫々相対的に回動不能に連係する回り止め手段は、上述した実施例の構成以外であってもよく、例えば、一方に形成された上下方向の突起と、他方に形成されて該突起が上下方向に嵌入される凹溝とによって構成してもよい。また、上部挟圧部材１７と、受皿部９に適用される係止手段としては、受皿部９を覆うように上部挟圧部材１７を該受皿部９の周壁上面に乗載し、その下面に突成した係止縁を矩形状の受皿部９の周壁内面に当接させて回動不能に設けることにより構成してもよい。
【図面の簡単な説明】
【００４８】
【図１】第一実施例の施工状態の縦断面図である。
【図２】打込金具の平面図である。
【図３】第１実施例の要部の側面図である。
【図４】第１実施例の下部挟圧部材の平面図である。
【図５】挟持手段の分離斜視図である。
【図６】第二実施例の施工状態の縦断面図である。
【図７】第二実施例の下部挟圧部材の斜視図である。
【図８】第二実施例の上部挟圧部材の分離斜視図である。
【図９】第二実施例の変形実施例を示す施工状態の縦断面図である。
【図１０】第二実施例の変形実施例の下部挟圧部材を示す斜視図である。
【図１１】第三実施例の施工状態の縦断面図である。
【図１２】第三実施例の係合手段の分離斜視図である。
【図１３】第三実施例の係合手段の他の構成を示す分離斜視図である。
【図１４】第四実施例の施工状態の縦断面図である。
【図１５】従来の固定装置の縦断側面図である。
【符号の説明】
【００４９】
１  打込金具
２  コンクリート遮断筒
３  支持板
４  連通孔
８  ドレイン本体
９  受皿部
１０  排水管部
１１  筒状スペーサ
１２  下部挟圧部材（挟持手段）
１４  螺子杆（挟持手段）
１７  上部挟圧部材（挟持手段）
２０  係合部
２２  凹溝（被係合部）
２３  回り止め管
３１  係合部
３６  係合部
３７  係合部
３８  孔縁
３９  凹溝（被係合部）
４１  孔部（被係合部）
４２  嵌挿孔
ｐ  デッキプレート
【図１】
0004681586.tif 000002
【図２】
0004681586.tif 000003
【図３】
0004681586.tif 000004
【図４】
0004681586.tif 000005
【図５】
0004681586.tif 000006
【図６】
0004681586.tif 000007
【図７】
0004681586.tif 000008
【図８】
0004681586.tif 000009
【図９】
0004681586.tif 000010
【図１０】
0004681586.tif 000011
【図１１】
0004681586.tif 000012
【図１２】
0004681586.tif 000013
【図１３】
0004681586.tif 000014
【図１４】
0004681586.tif 000015
【図１５】
0004681586.tif 000016